(57)【要約】【課題】  少ないタッチ操作で仮名を確定できるようにして、高速な文字入力を実現することができる文字入力装置を得ることを目的とする。【解決手段】  接触検知処理部１２により子音グループキーの表示エリアでタッチパネル５に対する接触が検知された場合、その子音グループキーに割り付けられている個々の子音の子音個別キーをタッチパネル５に表示する子音展開部１４を設け、解除検知処理部１３により子音個別キーの表示エリアでタッチパネル５に対する接触の解除が検知された場合、その子音個別キーに割り付けられている子音を特定する。【選択図】        図１
2007087200.tif 000002
【特許請求の範囲】
【請求項１】
複数の子音が割り付けられている子音グループキーをスクリーンに表示するとともに、母音が割り付けられている母音キーをスクリーンに表示するキー表示手段と、上記スクリーンに対する接触を検知する接触検知手段と、上記スクリーンに対する接触の解除を検知する解除検知手段と、上記接触検知手段により子音グループキーの表示エリアでスクリーンに対する接触が検知された場合、その子音グループキーに割り付けられている個々の子音の子音個別キーをスクリーンに表示する子音展開手段と、上記解除検知手段により子音個別キーの表示エリアでスクリーンに対する接触の解除が検知された場合、その子音個別キーに割り付けられている子音を特定する子音特定手段と、上記接触検知手段により母音キーの表示エリアでスクリーンに対する接触が検知された後、上記解除検知手段により母音キーの表示エリアでスクリーンに対する接触の解除が検知された場合、その母音キーに割り付けられている母音を特定する母音特定手段と、上記子音特定手段により特定された子音及び上記母音特定手段により特定された母音に基づいて仮名文字を決定する仮名文字決定手段とを備えた文字入力装置。
【請求項２】
子音展開手段は、子音グループキーに割り付けられている複数の子音の中で出現頻度が高い子音の子音個別キーほど、子音グループキーに近い位置に表示することを特徴とする請求項１記載の文字入力装置。
【請求項３】
子音展開手段は、複数の子音の出現頻度を認識する際、文字入力を行うアプリケーション毎に用意されている子音の出現頻度情報を参照することを特徴とする請求項２記載の文字入力装置。
【請求項４】
子音展開手段は、アプリケーションにおける文字の入力状況に応じて子音の出現頻度情報を更新することを特徴とする請求項３記載の文字入力装置。
【請求項５】
子音特定手段は、解除検知手段により子音個別キーの表示エリア以外のエリアでスクリーンに対する接触の解除が検知された場合、子音を特定しないで処理を終了することを特徴とする請求項１から請求項４のうちのいずれか１項記載の文字入力装置。
【請求項６】
母音特定手段は、解除検知手段により母音キーの表示エリア以外のエリアでスクリーンに対する接触の解除が検知された場合、母音を特定しないで処理を終了することを特徴とする請求項１から請求項４のうちのいずれか１項記載の文字入力装置。
【発明の詳細な説明】
【技術分野】
【０００１】
この発明は、例えば、携帯電話やモバイルＰＣなど、画面サイズが小さい機器に実装され、少ない手順で文字入力を行う文字入力装置に関するものである。
【背景技術】
【０００２】
例えば、携帯電話などの画面サイズが小さい機器には、表示一体型のタッチパネルを用いて、文字入力を行う文字入力装置が実装されることがある。
従来の文字入力装置は、仮名の５０音における行をタッチパネルに表示し、利用者が指でタッチパネルに触れることにより行を選択すると、その行における段をタッチパネルに表示する。
そして、利用者が指でタッチパネルに触れることにより段を選択すると、その段の文字を入力文字に決定するようにしている。
これにより、２回のタッチ操作で仮名を入力することができるが、行選択後の段の選択を効率よく行うことができるようにするために、表示画面の両端に同一の段の文字を表示する文字入力装置も存在する（例えば、特許文献１を参照）。
【０００３】
上記の文字入力装置によれば、少ない入力回数で仮名を入力することができる。しかし、ローマ字で仮名を入力する場合、子音を選択してから母音を選択する必要があるが、子音の数が仮名の行の数に比べて多いため、１つのキーに複数の子音を割り付ける必要がある。
そのため、所望の子音を選択するには、該当キーを複数回押下する必要があり、仮名が確定するまでには、多くのタッチ操作が必要になる。
なお、表示一体型のタッチパネルではなく、固定的なハードキーを用いて、文字入力を行う文字入力装置であるが、１つのキーに複数の子音を割り当て、該当キーを複数回押下することにより、所望の子音を選択するようにしているものが、以下の特許文献２に開示されている。
【０００４】
【特許文献１】特許３２４９７９１号（図５）
【特許文献２】特開平１１−１３４０９６号公報（段落番号［００５９］〜［００６２］、図２）
【発明の開示】
【発明が解決しようとする課題】
【０００５】
従来の文字入力装置は以上のように構成されているので、ローマ字で仮名を入力する場合、複数の子音が割り付けられているキーを少ないとも１回以上押下して、所望の子音を選択してから、母音を選択する必要がある。このため、仮名が確定するまでには、多くのタッチ操作が必要になり、高速な文字入力が困難であるなどの課題があった。
【０００６】
この発明は上記のような課題を解決するためになされたもので、少ないタッチ操作で仮名を確定できるようにして、高速な文字入力を実現することができる文字入力装置を得ることを目的とする。
【課題を解決するための手段】
【０００７】
この発明に係る文字入力装置は、接触検知手段により子音グループキーの表示エリアでスクリーンに対する接触が検知された場合、その子音グループキーに割り付けられている個々の子音の子音個別キーをスクリーンに表示する子音展開手段を設け、解除検知手段により子音個別キーの表示エリアでスクリーンに対する接触の解除が検知された場合、その子音個別キーに割り付けられている子音を特定するようにしたものである。
【発明の効果】
【０００８】
以上のように、この発明によれば、接触検知手段により子音グループキーの表示エリアでスクリーンに対する接触が検知された場合、その子音グループキーに割り付けられている個々の子音の子音個別キーをスクリーンに表示する子音展開手段を設け、解除検知手段により子音個別キーの表示エリアでスクリーンに対する接触の解除が検知された場合、その子音個別キーに割り付けられている子音を特定するように構成したので、少ないタッチ操作で子音が特定されるようになり、その結果、高速な文字入力を実現することができる効果がある。
【発明を実施するための最良の形態】
【０００９】
実施の形態１．
図１はこの発明の実施の形態１による文字入力装置を示す構成図であり、図２はこの発明の実施の形態１による文字入力装置が実装されている携帯電話を示す構成図である。
図において、文字入力装置は折り畳み式の携帯電話１に実装されており、携帯電話１の上部筐体２には各種の情報を表示する液晶ディスプレイ３が設けられている。また、携帯電話１の下部筐体４には文字の入力を受け付ける表示一体型のタッチパネル５（スクリーン）が設けられている。
【００１０】
文字入力装置のキー表示部１１は例えばメール作成用のアプリケーションが起動されると、複数の子音が割り付けられている子音グループキー（例えば、「ＨＢＰ」や「ＫＧＭ」などが割り付けられているキー）をタッチパネル５に表示するとともに、母音が割り付けられている母音キー（例えば、            「Ａ」や「Ｉ」などが割り付けられているキー）をタッチパネル５に表示する処理を実施する。なお、キー表示部１１はキー表示手段を構成している。
文字入力装置の接触検知処理部１２は例えばタッチパネル５に対する圧力の変化を監視するセンサーなどから構成されており、利用者が指やタッチペンでタッチパネル５に触れると、タッチパネル５に対する接触を検知して、その接触の位置（スクリーン座標）を出力する処理を実施する。なお、接触検知処理部１２は接触検知手段を構成している。
文字入力装置の解除検知処理部１３は例えばタッチパネル５に対する圧力の変化を監視するセンサーなどから構成されており、利用者がタッチパネル５から指やタッチペンを離すと、タッチパネル５に対する接触の解除を検知して、その接触解除の位置（スクリーン座標）を出力する処理を実施する。なお、解除検知処理部１３は解除検知手段を構成している。
図２の例では、文字入力装置が接触検知処理部１２と解除検知処理部１３を実装しているものを示しているが、接触検知処理部１２と解除検知処理部１３の機能を兼ねている検知処理部を文字入力装置に実装するようにしてもよい。
【００１１】
文字入力装置の子音展開部１４は接触検知処理部１２が子音グループキーの表示エリアに対する接触を検知して、接触検知処理部１２から子音グループキーの表示エリア内の座標を受けると、その子音グループキーに割り付けられている個々の子音の子音個別キーをタッチパネル５に表示する処理を実施する。なお、子音展開部１４は子音展開手段を構成している。
文字入力装置の子音特定処理部１５は解除検知処理部１３が子音個別キーの表示エリアに対する接触の解除を検知して、解除検知処理部１３から子音個別キーの表示エリア内の座標を受けると、その子音個別キーに割り付けられている子音を特定する処理を実施する。なお、子音特定処理部１５は子音特定手段を構成している。
【００１２】
文字入力装置の母音特定処理部１６は接触検知処理部１２により母音キーの表示エリアでタッチパネル５に対する接触が検知された後、解除検知処理部１３が母音キーの表示エリアに対する接触の解除を検知して、解除検知処理部１３から母音キーの表示エリア内の座標を受けると、その母音キーに割り付けられている母音を特定する処理を実施する。なお、母音特定処理部１６は母音特定手段を構成している。
文字入力装置の仮名文字決定部１７は子音特定処理部１５により特定された子音と母音特定処理部１６により特定された母音の組み合わせ、あるいは、母音特定処理部１６により特定された母音に対応する仮名文字を特定し、その仮名文字を液晶ディスプレイ３に表示する処理を実施する。なお、仮名文字決定部１７は仮名文字決定手段を構成している。
【００１３】
この実施の形態１では、文字入力装置の構成要素（キー表示部１１、接触検知処理部１２、解除検知処理部１３、子音展開部１４、子音特定処理部１５、母音特定処理部１６、仮名文字決定部１７）が個々のハードウェア（例えば、ＭＰＵなどを搭載している半導体集積回路）で構成されているものを想定しているが、文字入力装置の構成要素の処理内容が記述されているプログラムを携帯電話１のメモリに格納し、携帯電話１のＣＰＵがメモリに格納されているプログラムを実行することにより、文字入力装置の機能を実現するようにしてもよい。
図３はこの発明の実施の形態１による文字入力装置の処理内容を示すフローチャートである。
【００１４】
次に動作について説明する。
例えば、利用者が折り畳み式の携帯電話１を開いた状態にすると、利用する機能を選択する画面がタッチパネル５に表示される。
図４の例では、「電話」、「メール作成」、「カメラ撮影」のいずれかを選択する画面が表示されている。
この状態で、利用者が指で「メール作成」の表示エリアに触れると、文字入力装置の接触検知処理部１２が「メール作成」の表示エリアに対する接触を検知し、その表示エリア内の座標をキー表示部１１に出力するとともに、その表示エリア内の座標を携帯電話１のＣＰＵに出力する。
【００１５】
携帯電話１のＣＰＵは、接触検知処理部１２から「メール作成」の表示エリア内の座標を受けると、図５に示すように、メール作成用のアプリケーションを起動して、メール作成用の画面を液晶ディスプレイ３に表示する。
また、文字入力装置のキー表示部１１は、接触検知処理部１２から「メール作成」の表示エリア内の座標を受けると、複数の子音が割り付けられている子音グループキーをタッチパネル５に表示するとともに、母音が割り付けられている母音キーをタッチパネル５に表示する（ステップＳＴ１）。
【００１６】
図５の例では、子音グループキーとして、「ＨＢＰ」、「ＫＧＭ」、「ＳＺＹ」、「ＴＤＲ」、「ＮＷＸ」が割り付けられているキーを表示し、母音キーとして、「Ａ」、「Ｉ」、「Ｕ」、「Ｅ」、「Ｏ」が割り付けられているキーを表示している。
なお、１つの子音グループキーには、利用者が連想しやすい組み合わせが割り付けられている。例えば、「ＨＢＰ」の子音グループキーであれば、Ｈ（清音）、Ｂ（Ｈの濁音）、Ｐ（Ｈの半濁音）が同一グループに割り付けられている。
【００１７】
文字入力装置の接触検知処理部１２は、上記のようにして、キー表示部１１が子音グループキーと母音キーをタッチパネル５に表示すると、子音グループキーや母音キーの表示エリアに対する接触の検知処理を開始する（ステップＳＴ２）。
この状態で、例えば、利用者が指で子音グループキー「ＫＧＭ」の表示エリアに触れると（ステップＳＴ３）、文字入力装置の接触検知処理部１２が子音グループキー「ＫＧＭ」の表示エリアに対する接触を検知し、その表示エリア内の座標を子音展開部１４に出力する。
【００１８】
文字入力装置の子音展開部１４は、接触検知処理部１２が子音グループキー「ＫＧＭ」の表示エリアに対する接触を検知して、接触検知処理部１２から子音グループキー「ＫＧＭ」の表示エリア内の座標を受けると、図６に示すように、その子音グループキー「ＫＧＭ」に割り付けられている個々の子音の子音個別キーをタッチパネル５に表示する（ステップＳＴ４）。
図６の例では、子音グループキー「ＫＧＭ」が表示されていたエリアに子音個別キー「Ｋ」が表示され、子音個別キー「Ｋ」の右隣に子音個別キー「Ｇ」が表示され、タッチパネル５の右端子に音個別キー「Ｍ」が表示されているが、これは、子音グループキー「ＫＧＭ」に割り付けられている子音「Ｋ」、「Ｇ」、「Ｍ」の中で、出現頻度が高い子音の子音個別キーほど、子音グループキー「ＫＧＭ」に近い位置に表示するようにしているものである。「Ｋ」、「Ｇ」、「Ｍ」の出現頻度は、Ｋ＞Ｇ＞Ｍである。
【００１９】
即ち、出現頻度が高い子音ほど、今回の文字入力においても選択される可能性が高いので、選択される可能性が高い子音の選択操作を容易にするため（出現頻度が高い子音ほど、少ない指のなぞり量（詳細は後述する）で選択できるようにするため）、出現頻度が高い子音の子音個別キーほど、子音グループキー「ＫＧＭ」に近い位置に表示するようにしている。
なお、子音展開部１４が子音の出現頻度を認識する際、文字入力を行うアプリケーション（例えば、メール作成アプリケーション、姓名入力アプリケーション、住所作成アプリケーション）毎に用意されている子音の出現頻度情報を参照するが、例えば、メール作成アプリケーションの場合、予め大量のメール文章から子音を抽出して計数することにより、出現頻度情報が求められている。
【００２０】
文字入力装置の解除検知処理部１３は、上記のようにして、子音展開部１４が子音個別キー「Ｋ」、「Ｇ」、「Ｍ」をタッチパネル５に表示すると、子音個別キー「Ｋ」、「Ｇ」、「Ｍ」の表示エリアに対する接触の解除検知処理を開始する（ステップＳＴ５）。
即ち、利用者が子音グループキー「ＫＧＭ」に触れると、上述したように、子音個別キー「Ｋ」、「Ｇ」、「Ｍ」がタッチパネル５に表示され、利用者がタッチパネル５から指を離さなければ、子音個別キー「Ｋ」に触れている状態に以降するが、この実施の形態１では、利用者がタッチパネル５をなぞって（利用者がタッチパネル５から指を離さないで、接触位置を移動させる動作）、所望の子音の子音個別キーを選択し、指を離した表示エリアに係る子音個別キーの子音を選択する方式を採用しているので、解除検知処理部１３が、子音個別キー「Ｋ」、「Ｇ」、「Ｍ」の表示エリアに対する接触の解除を検知する処理を開始する。
例えば、利用者が子音個別キー「Ｋ」に触れている状態で（図６を参照）、タッチパネル５から指を離すと（ステップＳＴ６）、解除検知処理部１３が子音個別キー「Ｋ」の表示エリアに対する接触の解除を検知し、その表示エリア内の座標をキー表示部１１及び子音特定処理部１５に出力する。
【００２１】
文字入力装置のキー表示部１１は、解除検知処理部１３が子音個別キー「Ｋ」の表示エリアに対する接触の解除を検知して、解除検知処理部１３から子音個別キー「Ｋ」の表示エリア内の座標を受けると、図７に示すように、子音グループキーと母音キーをタッチパネル５に表示する（ステップＳＴ７）。
また、文字入力装置の子音特定処理部１５は、解除検知処理部１３から子音個別キー「Ｋ」の表示エリア内の座標を受けると、その子音個別キーに割り付けられている子音「Ｋ」を特定し、子音「Ｋ」が入力された旨を示す入力情報を仮名文字決定部１７に出力する（ステップＳＴ８）。
文字入力装置の仮名文字決定部１７は、子音特定処理部１５から子音「Ｋ」が入力された旨を示す入力情報を受けると、子音「Ｋ」を液晶ディスプレイ３に表示する（ステップＳＴ９）。
【００２２】
文字入力装置の接触検知処理部１２は、上記のようにして、キー表示部１１が子音グループキーと母音キーをタッチパネル５に表示すると、子音グループキーや母音キーの表示エリアに対する接触の検知処理を開始する（ステップＳＴ２）。
この状態で、例えば、利用者が指で母音キー「Ａ」の表示エリアに触れると（ステップＳＴ１０）、文字入力装置の接触検知処理部１２が母音キー「Ａ」の表示エリアに対する接触を検知し、その表示エリア内の座標を母音特定処理部１６及び解除検知処理部１３に出力する（図８を参照）。
【００２３】
文字入力装置の解除検知処理部１３は、接触検知処理部１２が母音キー「Ａ」の表示エリアに対する接触を検知して、接触検知処理部１２から母音キー「Ａ」の表示エリア内の座標を受けると、母音キー「Ａ」、「Ｉ」、「Ｕ」、「Ｅ」、「Ｏ」の表示エリアに対する接触の解除検知処理を開始する（ステップＳＴ１１）。
即ち、利用者が母音キー「Ａ」に触れたのち、母音キー「Ａ」の表示エリアで指を離せば、母音「Ａ」を選択するが、利用者がタッチパネル５をなぞって他の母音キー「Ｉ」、「Ｕ」、「Ｅ」、「Ｏ」の表示エリアで指を離せば、その表示エリアの母音キー「Ｉ」、「Ｕ」、「Ｅ」、「Ｏ」に係る母音を選択する方式を採用しているので、解除検知処理部１３が、母音キー「Ａ」、「Ｉ」、「Ｕ」、「Ｅ」、「Ｏ」の表示エリアに対する接触の解除を検知する処理を開始する。
例えば、利用者が母音キー「Ａ」に触れている状態で（図８を参照）、タッチパネル５から指を離すと（ステップＳＴ１２）、解除検知処理部１３が母音キー「Ａ」の表示エリアに対する接触の解除を検知し、その表示エリア内の座標をキー表示部１１及び母音特定処理部１６に出力する。
【００２４】
文字入力装置のキー表示部１１は、解除検知処理部１３が母音キー「Ａ」の表示エリアに対する接触の解除を検知して、解除検知処理部１３から母音キー「Ａ」の表示エリア内の座標を受けると、図９に示すように、子音グループキーと母音キーをタッチパネル５に表示する（ステップＳＴ１３）。
また、文字入力装置の母音特定処理部１６は、解除検知処理部１３から母音キー「Ａ」の表示エリア内の座標を受けると、その母音キー「Ａ」に割り付けられている母音「Ａ」を特定し、母音「Ａ」が入力された旨を示す入力情報を仮名文字決定部１７に出力する（ステップＳＴ１４）。
【００２５】
文字入力装置の仮名文字決定部１７は、母音特定処理部１６から母音「Ａ」が入力された旨を示す入力情報を受けると、図１０及び図１１の変換テーブルを参照して、その母音「Ａ」の入力情報と先に子音特定処理部１５から受けた子音「Ｋ」の入力情報を組み合わせて、仮名文字を決定する（ステップＳＴ１５）。
この例では、子音「Ｋ」と母音「Ａ」が入力されているので、仮名文字を「か」に決定する。なお、言うまでもないが、子音「Ｋ」が入力される前に、母音「Ａ」が入力された場合には、仮名文字を「あ」に決定する。
文字入力装置の仮名文字決定部１７は、上記のようにして、仮名文字を「か」に決定すると、図９に示すように、「か」を液晶ディスプレイ３に表示する（ステップＳＴ１６）。
【００２６】
この実施の形態１では、利用者が子音個別キー「Ｋ」の表示エリアで指を離すものについて示したが、図１２に示すように、利用者が子音個別キー「Ｋ」の表示エリアから子音個別キー「Ｇ」の表示エリアまでタッチパネル５をなぞり、その後、利用者が子音個別キー「Ｇ」の表示エリアで指を離すようにすれば、子音特定処理部１５が子音「Ｇ」の入力情報を仮名文字決定部１７に出力し、仮名文字決定部１７が子音「Ｇ」を液晶ディスプレイ３に表示するようになる（図１３を参照）。
【００２７】
また、この実施の形態１では、利用者が母音キー「Ａ」の表示エリアに触れた後、母音キー「Ａ」の表示エリアで指を離すものについて示したが、他の母音キーについても同様であり、例えば、利用者が母音キー「Ｉ」の表示エリアに触れた後、母音キー「Ｉ」の表示エリアで指を離すようにすれば、母音特定処理部１６が母音「Ｉ」の入力情報を仮名文字決定部１７に出力し、仮名文字決定部１７が子音「Ｉ」に基づいて仮名文字を決定するようになる。
【００２８】
以上で明らかなように、この実施の形態１によれば、接触検知処理部１２により子音グループキーの表示エリアでタッチパネル５に対する接触が検知された場合、その子音グループキーに割り付けられている個々の子音の子音個別キーをタッチパネル５に表示する子音展開部１４を設け、解除検知処理部１３により子音個別キーの表示エリアでタッチパネル５に対する接触の解除が検知された場合、その子音個別キーに割り付けられている子音を特定するように構成したので、少ないタッチ操作で子音が特定されるようになり、その結果、高速な文字入力を実現することができる効果を奏する。
【００２９】
また、この実施の形態１によれば、子音グループキーに割り付けられている複数の子音の中で出現頻度が高い子音の子音個別キーほど、子音グループキーに近い位置に表示するように構成したので、出現頻度が高い子音ほど、少ない指のなぞり量で選択することができるようになり、その結果、高速な文字入力を実現することができる効果を奏する。
また、この実施の形態１によれば、複数の子音の出現頻度を認識する際、文字入力を行うアプリケーション毎に用意されている子音の出現頻度情報を参照するように構成したので、文字入力を行うアプリケーションに適する出現頻度を認識することができる効果を奏する。
【００３０】
実施の形態２．
上記実施の形態１では、文字入力を行うアプリケーション毎に子音の出現頻度情報が用意されているものについて示したが、定期的、あるいは、利用者の要求に応じて、各アプリケーションにおける文字の入力状況を監視し、文字の入力状況に応じて子音の出現頻度情報を更新するようにしてもよい。
これにより、利用者がよく入力する文字の選択が容易になり、さらに、高速な文字入力を実現することができる効果を奏する。
【００３１】
実施の形態３．
上記実施の形態１では、子音展開部１４が子音個別キーをタッチパネル５に表示したのち、解除検知処理部１３が子音個別キーの表示エリアでタッチパネル５に対する接触の解除を検知すると、子音特定処理部１５がその子音個別キーに割り付けられている子音を特定するものについて示したが、図１４に示すように、解除検知処理部１３が子音個別キーの表示エリア以外の表示エリア（例えば、「決定」の表示エリア）でタッチパネル５に対する接触の解除を検知すると、子音特定処理部１５が子音を特定しないで処理を終了するようにしてもよい（ステップＳＴ１の処理に戻る）。
この場合、利用者が誤って子音グループキーの表示エリアに接触しても、子音の選択処理を速やかに中止することができるため、高速な文字入力を実現することができる効果を奏する。
【００３２】
実施の形態４．
上記実施の形態１では、解除検知処理部１３が母音キーの表示エリアでタッチパネル５に対する接触の解除を検知すると、母音特定処理部１６がその母音キーに割り付けられている母音を特定するものについて示したが、解除検知処理部１３が母音キーの表示エリア以外の表示エリア（例えば、「変換」の表示エリア）でタッチパネル５に対する接触の解除を検知すると、母音特定処理部１６が母音を特定しないで処理を終了するようにしてもよい（ステップＳＴ１の処理に戻る）。
この場合、利用者が誤って母音キーの表示エリアに接触しても、母音の選択処理を速やかに中止することができるため、高速な文字入力を実現することができる効果を奏する。
【００３３】
実施の形態５．
上記実施の形態１では、１つの子音グループキーに複数の子音を割り付けるに際して、各子音グループキーに均等に３つずつ子音を割り付けるものについて示したが、必ずしも均等に子音を割り付ける必要はなく、また、子音の割付数も３つである必要はなく、例えば、４つの子音を割り付けるようにしてもよい。
また、子音グループキーをタッチパネル５の左側に配列し、母音キーをタッチパネル５の右側に配列するものについて示したが、キーの配列は、これに限るものではなく、例えば、子音グループキーをタッチパネル５の右側に配列し、母音キーをタッチパネル５の左側に配列するようにしてもよい。
【図面の簡単な説明】
【００３４】
【図１】この発明の実施の形態１による文字入力装置を示す構成図である。
【図２】この発明の実施の形態１による文字入力装置が実装されている携帯電話を示す構成図である。
【図３】この発明の実施の形態１による文字入力装置の処理内容を示すフローチャートである。
【図４】タッチパネルの表示内容を示す説明図である。
【図５】タッチパネルの表示内容を示す説明図である。
【図６】タッチパネルの表示内容を示す説明図である。
【図７】タッチパネルの表示内容を示す説明図である。
【図８】タッチパネルの表示内容を示す説明図である。
【図９】タッチパネルの表示内容を示す説明図である。
【図１０】仮名文字に変換する際に参照する変換テーブルを示す説明図である。
【図１１】仮名文字に変換する際に参照する変換テーブルを示す説明図である。
【図１２】タッチパネルの表示内容を示す説明図である。
【図１３】タッチパネルの表示内容を示す説明図である。
【図１４】タッチパネルの表示内容を示す説明図である。
【符号の説明】
【００３５】
１  携帯電話、２  上部筐体、３  液晶ディスプレイ、４  下部筐体、５  タッチパネル（スクリーン）、１１  キー表示部（キー表示手段）、１２  接触検知処理部（接触検知手段）、１３  解除検知処理部（解除検知手段）、１４  子音展開部（子音展開手段）、１５  子音特定処理部（子音特定手段）、１６  母音特定処理部（母音特定手段）、１７  仮名文字決定部（仮名文字決定手段）。
【図１】
2007087200.tif 000003
【図２】
2007087200.tif 000004
【図３】
2007087200.tif 000005
【図４】
2007087200.tif 000006
【図５】
2007087200.tif 000007
【図６】
2007087200.tif 000008
【図７】
2007087200.tif 000009
【図８】
2007087200.tif 000010
【図９】
2007087200.tif 000011
【図１０】
2007087200.tif 000012
【図１１】
2007087200.tif 000013
【図１２】
2007087200.tif 000014
【図１３】
2007087200.tif 000015
【図１４】
2007087200.tif 000016